(57)【要約】【課題】増幅装置を交換することなく、アナログテレビ放送と地上デジタルテレビ放送に対応でき、経済性に優れたテレビ放送再送信装置を提供する。【解決手段】各受信ユニット１２ａ〜１２ｎは、ＩＦアンプ３１から出力されるＩＦ信号を分岐器３２で分岐してミキサ９１に入力する。ミキサ９１は、上記ＩＦ信号と掃引局部発振器９２から与えられる６ＭＨｚの掃引局部発振信号とを混合して６ＭＨｚの帯域の信号を取り出し、ＤＣ変換器９３により直流電圧に変換してＭＰＵ３５に入力する。ＭＰＵ３５は、ＤＣ変換器９３の出力信号波形から現在受信している信号がアナログ変調信号かデジタル変調信号かを識別し、アナログ変調信号であればピーク値ホールド方式によるＡＧＣ制御方式を選択し、デジタル変調信号であれば平均値動作方式によるＡＧＣ制御方式を選択し、ＩＦ出力信号レベルが一定となるようにアッテネータ２３、２７の減衰量を制御する。【選択図】    図４
2005286397.tif 000002
【特許請求の範囲】
【請求項１】
各チャンネル別のテレビ放送波をそれぞれ受信し増幅して出力する複数の受信ユニットを備えたテレビ放送再送信装置において、
前記各受信ユニットは、アナログ変調信号に対するＡＧＣ制御手段と、デジタル変調信号に対応するＡＧＣ制御手段を備え、アナログテレビ放送と地上デジタルテレビ放送の何れにも対応できるように構成したことを特徴とするテレビ放送再送信装置。
【発明の詳細な説明】
【技術分野】
【０００１】
本発明は、アナログテレビ放送あるいは地上デジタルテレビ放送を受信して難視聴地域へ再送信するテレビ放送再送信装置に関する。
【背景技術】
【０００２】
地上デジタルテレビ放送（ＩＳＤＢ−Ｔ：Terrestrial Integrated Services Digital Broadcasting）は、２００３年から関東、近畿及び中京広域圏で既に放送が開始され、また、２００６年までにその他の地域で放送開始が予定されている。そして、現在、行なわれていアナログテレビ放送は２０１１年に終了し、地上デジタルテレビ放送への移行が完了する予定となっている。
【０００３】
地上デジタルテレビ放送では、例えばＵＨＦ等の周波数の高い電波が使用されるので、電波の回折が殆どなく、高いビルなどの障害物があると電波が遮られてしまい、サービスエリアの一部に電波を受信し難い地域を生じる。例えば図６に示すように送信局１から送信した電波は、都市部では高いビル２などの障害物により遮られ、また、山間部では山３などの障害物により遮られ、送信電波を受信し難い都市部難視聴地域４、山間部難視聴地域５等を生じる。
【０００４】
このような都市部難視聴地域４や山間部難視聴地域５を無くすために、都市部ではビル２の屋上等に再送信装置６を設置し、また、山間部では山３の頂上等に再送信装置６を設置し、送信局１からの電波を受信アンテナ７で受信し、増幅した後、送信アンテナ８により都市部難視聴地域４や山間部難視聴地域５へ再送信するシステムが考えられている（例えば、特許文献１参照。）。
【０００５】
一方、現在行なわれているアナログテレビ放送においても、地上デジタルテレビ放送に比較してビルなどによる障害が少ないが、山間部等において難視聴地域を生じている。このような難視聴地域を無くすために山の頂上等の高所にミニ・サテライト中継装置を設置し、送信局からの電波を中継している。
【特許文献１】特開２００３−１３４０２０号公報
【発明の開示】
【発明が解決しようとする課題】
【０００６】
上記アナログテレビ放送に対するミニ・サテライト中継装置は、長期の使用により老朽化したものも多く、新しい装置への交換が必要となる場合がある。この場合、ミニ・サテライト中継装置を新しい装置に交換しても、その後、地上デジタルテレビ放送に移行した際に地上デジタル放送再送信装置を設置しなければならず、経済的にも負担が大きくなる。従って、交換する新しい中継装置では、アナログテレビ放送だけでなく、間も無く移行する地上デジタルテレビ放送にも対応できるものが望ましい。このためミニ・サテライト中継装置に代えて地上デジタル放送再送信装置を設置し、内部回路をアナログテレビ放送に対応したものに設定して運用し、その後、デジタルテレビ放送に移行した場合に内部回路をデジタル方式に対応した設定に切替えることが考えられる。
【０００７】
しかし、アナログテレビ放送におけるアナログ変調された信号を増幅する増幅器と、デジタルテレビ放送におけるデジタル変調された信号を増幅する増幅器では、信号の出力レベルを一定に保持するＡＧＣ（Automatic Gain Control）の方式が異なっている。すなわち、アナログ変調された信号に対するＡＧＣ方式はピーク値ホールド方式が使用され、デジタル変調された信号に対するＡＧＣ方式は平均値動作方式が使用される。このためアナログテレビ放送用の増幅器とデジタルテレビ放送用の増幅器とを共用することができず、ミニ・サテライト中継装置に代えて地上デジタル放送再送信装置を設置した場合、アナログテレビ放送用の増幅器とデジタルテレビ放送用の増幅器とを別個に用意しなければならない。
【０００８】
この結果、経済性を考慮し、ミニ・サテライト中継装置に代えて地上デジタル放送再送信装置を設置して運用した場合においても、テレビ放送に合わせて増幅器を交換する必要があり、増幅器の交換作業に時間が掛かる共にメンテナンス費用が高価になるという問題がある。
【０００９】
本発明は上記の課題を解決するためになされたもので、増幅器を交換することなく、アナログテレビ放送と地上デジタルテレビ放送に対応でき、経済性に優れたテレビ放送再送信装置を提供することを目的とする。
【課題を解決するための手段】
【００１０】
本発明は、各チャンネル別のテレビ放送波をそれぞれ受信し増幅して出力する複数の受信ユニットを備えたテレビ放送再送信装置において、前記各受信ユニットは、アナログ変調信号に対するＡＧＣ制御手段と、デジタル変調信号に対応するＡＧＣ制御手段を備え、アナログテレビ放送と地上デジタルテレビ放送の何れにも対応できるように構成したことを特徴とする。
【発明の効果】
【００１１】
本発明によれば、放送局から送信される電波を受信して難視聴地域に再送信するテレビ放送再送信装置において、チャンネル別の信号をそれぞれ受信し増幅して出力する受信ユニットにアナログ変調信号に対するＡＧＣ制御手段とデジタル変調方式に対応するＡＧＣ制御手段を備えることにより、内部の増幅器を交換することなく、アナログテレビ放送と地上デジタルテレビ放送の何れにも対応することができる。
【発明を実施するための最良の形態】
【００１２】
以下、図面を参照して本発明の実施形態を説明する。  
（第１実施形態）
図１は、本発明の第１実施形態に係るテレビ放送再送信装置の全体の構成を示すブロック図である。図１において、１１は入力フィルタで、受信アンテナ（図示せず）で受信したテレビ放送波が入力端子１０を介して入力される。入力フィルタ１１は、例えば４７０ＭＨｚ〜７７０ＭＨｚのＵＨＦ−ＴＶ帯域中の指定帯域６ＭＨｚ×ｎチャンネルの信号を選択して対応する受信ユニット１２ａ〜１２ｎに入力する。
【００１３】
受信ユニット１２ａ〜１２ｎは、それぞれ異なるチャンネルのテレビ放送波を受信するもので、入力フィルタ１１から入力されたＲＦ信号（高周波信号）をＩＦ信号（中間周波信号）に変換して増幅し、その後、再び元のチャンネルの周波数に変換して出力する。また、受信ユニット１２ａ〜１２ｎは、詳細を後述するように、アナログ変調信号に対応したピーク値ホールド方式のＡＧＣ制御手段と、デジタル変調信号に対応した平均値動作方式のＡＧＣ制御手段を備え、アナログテレビ放送と地上デジタルテレビ放送の何れにも対応できるように構成されている。
【００１４】
そして、上記受信ユニット１２ａ〜１２ｎから出力されるＲＦ信号は、ＲＦフィルタ１３によりチャンネル別に取り出されて混合され、例えば１００ＭＨｚ程度の広帯域増幅特性を有するＲＦ終段増幅器１４に入力される。
【００１５】
ＲＦ終段増幅器１４で増幅された各チャンネルのＲＦ信号は、出力フィルタ１５を介して出力端子１６から送信アンテナ（図示せず）へ送られ、この送信アンテナから難視聴地域へ向けて再送信される。
【００１６】
次に、上記受信ユニット１２ａ〜１２ｎの詳細な構成について図２を参照して説明する。  
上記図１に示した入力フィルタ１１からの信号は、入力端子２１よりＲＦアンプ２２及び例えばピンダイオードを用いたアッテネータ（ＡＴＴ）２３からなるＲＦ増幅部に入力される。
【００１７】
上記アッテネータ２３でレベル調整されたＲＦ信号は、入力ミキサ２４に入力される。また、この入力ミキサ２４には、例えばＰＬＬを用いて構成した局部発振器２５から局部発振信号が入力されている。上記アッテネータ２３でレベル調整されたＲＦ信号は、入力ミキサ２４でＩＦ信号（中間周波信号）に変換される。すなわち、入力ミキサ２４は、局部発振器２５から与えられる所定周波数の局部発振信号によって予め指定されたチャンネルのＲＦ信号をＩＦ信号に変換する。
【００１８】
上記入力ミキサ２４で変換されたＩＦ信号は、ＩＦアンプ２６及び例えばピンダイオードを用いたアッテネータ（ＡＴＴ）２７からなるＩＦ増幅部に入力される。上記アッテネータ（ＡＴＴ）２７でレベル調整された信号は、ＳＡＷフィルタ２８、ＩＦアンプ２９、ＳＡＷフィルタ３０、ＩＦアンプ３１、分岐器３２を介して出力ミキサ３３に入力される。
【００１９】
また、上記ＩＦアンプ３１から出力されるＩＦ信号の一部は分岐器３２で分岐され、ＡＧＣ用検波器３４を介してＭＰＵ３５に入力される。ＭＰＵ３５は、ＡＧＣ用検波器３４で検波されたＩＦ信号に基づいてＲＦ増幅部に対するＡＧＣコントロール信号ＡＧＣ−１を生成すると共に、ＩＦ増幅部に対するＡＧＣコントロール信号ＡＧＣ−２を生成し、ＲＦ増幅部のアッテネータ２３、ＩＦ増幅部のアッテネータ２７にそれぞれ入力する。すなわち、ＭＰＵ３５は、ＩＦアンプ３１から常に一定レベルのＩＦ信号が出力されるようにＲＦ増幅部のアッテネータ２３及びＩＦ増幅部のアッテネータ２７の減衰量を調整する。また、ＭＰＵ３５は、局部発振器２５の発振周波数を制御し、予め設定された所定周波数の信号が出力ミキサ２４、３３に入力されるようにする。
【００２０】
また、上記ＭＰＵ３５には、例えば接地との間にＡＧＣモード切替スイッチ３６が設けられる。ＭＰＵ３５は、アナログ変調方式に対応したピーク値ホールド方式によるＡＧＣ制御機能と、デジタル変調方式に対応した平均値動作方式によるＡＧＣ制御機能を備えており、上記ＡＧＣモード切替スイッチ３６のオン／オフ操作によって上記ＡＧＣ制御方式が切替えられる。例えばＡＧＣモード切替スイッチ３６をオンしたときにＭＰＵ３５のＡＧＣ制御動作がアナログ変調方式に対応したピーク値ホールド方式に切替えられ、ＡＧＣモード切替スイッチ３６をオフしたときにデジタル変調方式に対応した平均値動作方式に切替えられる。
【００２１】
そして、上記出力ミキサ３３は、ＩＦアンプ３１から分岐器３２を介して入力されるＩＦ信号を局部発振器２５からの局部発振信号とミックスすることによって元のチャンネルの周波数に変換し、ＲＦアンプ３７を介して出力端子３８に出力する。
【００２２】
上記受信ユニット１２ａ〜１２ｎは、ＡＧＣモード切替スイッチ３６によりＡＧＣ方式を切替えることによって、アナログテレビ放送の信号と地上デジタルテレビ放送の信号に対して共通に使用することが可能である。
【００２３】
次に上記ＩＦ増幅部におけるＩＦアンプ２６及びアッテネータ２７と、そのＡＧＣ制御系統の構成例について図３を参照して説明する。図３は、ＩＦアンプ２６及びアッテネータ２７を２段構成とした場合の例について示したものである。すなわち、２段のＩＦアンプ２６ａ、２６ｂ及びアッテネータ２７ａ、２７ｂを設けている。
【００２４】
上記初段のＩＦアンプ２６ａには、図２の入力ミキサ２４で周波数変換されたＩＦ信号が入力端子４１及びＩＦフィルタ４２を介して入力される。上記ＩＦアンプ２６ａで増幅された信号は、コンデンサ４３を介してアッテネータ２７ａに入力され、その出力信号がコンデンサ４４を介して次段のＩＦアンプ２６ｂに入力される。このＩＦアンプ２６ｂで増幅された信号は、コンデンサ４５を介してアッテネータ２７ｂに入力され、その出力信号がコンデンサ４６及びＩＦフィルタ４７を介して出力端子４９から出力され、図２に示したＳＡＷフィルタ２８へ送られる。
【００２５】
上記アッテネータ２７ａ、２７ｂは、ＡＧＣ制御系の電圧比較回路５０から与えられるＡＧＣ信号によって減衰量が制御される。
【００２６】
上記電圧比較回路５０は、例えばＮＰＮ形のトランジスタＴｒ１、Ｔｒ２及びコンパレータ５１を主体として構成される。コンパレータ５１の＋入力端子には、図２に示したＭＰＵ３５から送られてくるＡＧＣコントロール信号ＡＧＣ−２が抵抗５２を介して入力される。
【００２７】
また、コンパレータ５１の＋入力端子と接地間には、ＡＧＣ調整用の可変抵抗５３が設けられる。コンパレータ５１の−入力端子は、抵抗５４を介して接地され、一定の基準電位に保持される。また、コンパレータ５１の出力端子と−入力端子との間には、抵抗５５及びコンデンサ５６を並列接続した負帰還回路が設けられる。
【００２８】
コンパレータ５１は、−入力端子の基準電位と＋入力端子に入力されるＡＧＣコントロール信号ＡＧＣ−２とを比較し、そのレベル差に応じたＡＧＣ信号を出力する。このコンパレータ５１の出力信号は、抵抗５７、５８を介してトランジスタＴｒ２のベースに入力される。上記抵抗５７、５８の接続点と接地間には、抵抗５９及びコンデンサ６０の並列回路が設けられる。
【００２９】
そして、上記トランジスタＴｒ２のコレクタから取り出されるＡＧＣ信号は、ＡＧＣライン６２を介してアッテネータ２７ａ、２７ｂへ供給される。また、このＡＧＣライン６２には、動作電圧調整回路６１で調整された信号がダイオードＤ５を介して供給される。
【００３０】
また、上記トランジスタＴｒ２のエミッタ及びトランジスタＴｒ１のコレクタには、＋Ｖの電源ラインより動作電圧が供給される。このトランジスタＴｒ１のコレクタと接地間にＡＧＣ調整用の可変抵抗６３が接続され、この可変抵抗６３の摺動端子から出力される電圧が抵抗６４を介してトランジスタＴｒ１のベースに供給される。そして、このトランジスタＴｒ１のエミッタから出力される信号がアッテネータ２７ａ、２７ｂに供給される。
【００３１】
上記動作電圧調整回路６１には、ＮＰＮ形のトランジスタＴｒ３が設けられ、そのコレクタに上記＋Ｖの電源ラインより動作電圧が供給される。また、上記＋Ｖの電源ラインは、コンデンサ６５を介して接地されると共に、抵抗６６、可変抵抗６７、抵抗６８を直列接続した分圧回路が設けられ、可変抵抗６７の摺動端子から出力される分圧電圧がトランジスタＴｒ３のベースに供給される。そして、このトランジスタＴｒ３のエミッタから出力される電圧がダイオードＤ５を介してＡＧＣライン６２に供給される。
【００３２】
上記アッテネータ２７ａは、ピンダイオードＤ１〜Ｄ４を用いて構成され、ピンダイオードＤ１、Ｄ２のアノード間が接続されると共に、ピンダイオードＤ３、Ｄ４のアノード間が接続される。そして、前段のＩＦアンプ２６ａから出力されるＩＦ信号がコンデンサ４３を介してピンダイオードＤ１、Ｄ３のカソードに入力され、ピンダイオードＤ２、Ｄ４のカソードから出力される信号がコンデンサ４４を介してＩＦアンプ２６ｂへ送られる。
【００３３】
上記ピンダイオードＤ１、Ｄ２のアノードには、上記電圧比較回路５０のトランジスタＴｒ２からＡＧＣライン６２を介して供給されるＡＧＣ信号が抵抗７３及び高周波コイル７４を介してバイアス電圧として与えられる。上記抵抗７３と高周波コイル７４の接続点は、コンデンサ７５を介して接地される。また、ピンダイオードＤ３、Ｄ４のアノードには、上記電圧比較回路５０のトランジスタＴｒ１のエミッタから出力される信号が抵抗７６を介してバイアス電圧として与えられる。また、ピンダイオードＤ３、Ｄ４のアノードは、コンデンサ７７を介して接地される。
【００３４】
そして、上記ピンダイオードＤ１、Ｄ３のカソードは、高周波コイル７８及び抵抗７９を直列に介して接地され、この抵抗７９に並列にコンデンサ８０が接続される。また、上記ピンダイオードＤ２、Ｄ４のカソードは、高周波コイル８１及び抵抗８２を直列に介して接地され、この抵抗８２に並列にコンデンサ８３が接続される。
【００３５】
アッテネータ２７ｂは、上記アッテネータ２７ａと同様の構成であるので詳細な説明は省略する。上記アッテネータ２７ｂには、ＩＦアンプ２６ｂから出力されるＩＦ信号がコンデンサ４５を介してピンダイオードＤ１、Ｄ３のカソードに入力され、ピンダイオードＤ２、Ｄ４のカソードから出力される信号がコンデンサ４６及びＩＦフィルタ４７を介して出力端子４８へ送られる。
【００３６】
上記の構成において、電圧比較回路５０のコンパレータ５１は、＋入力端子に入力されるＭＰＵ３５からのＡＧＣコントロール信号ＡＧＣ−２と−入力端子の基準電位とを比較し、そのレベル差に応じた信号を出力する。このコンパレータ５１の出力信号は、トランジスタＴｒ２で増幅され、コレクタからＡＧＣライン６２を介してアッテネータ２７ａ、２７ｂへ送られ、それぞれ抵抗７３及び高周波コイル７４を介してピンダイオードＤ１、Ｄ２のアノードに入力され、そのバイアス電圧を変化させる。これによりピンダイオードＤ１、Ｄ２のインピーダンスが変化し、アッテネータ２７ａ、２７ｂを通過する信号のレベルが制御される。
【００３７】
上記コンパレータ５１に対するＡＧＣコントロール信号ＡＧＣ−２の入力レベルは、可変抵抗５３によって調整することができる。  
また、電圧比較回路５０のトランジスタＴｒ２のコレクタが接続されているＡＧＣライン６２の電位は、動作電圧調整回路６１の可変抵抗６７を調整することで、任意に設定することができる。
【００３８】
更に、トランジスタＴｒ１のエミッタ出力電圧は、可変抵抗６３によりベース電圧を調整することで任意に設定することができる。上記Ｔｒ１のエミッタ出力電圧によってアッテネータ２７ａ、２７ｂのピンダイオードＤ３、Ｄ４のバイアス電圧が変化するので、ピンダイオードＤ３、Ｄ４を通過する信号のレベルを任意に設定することができる。
【００３９】
上記のように電圧比較回路５０の可変抵抗５３、６３、及び動作電圧調整回路６１の可変抵抗６７によってアッテネータ２７ａ、２７ｂの動作レベルを微細に調整することができる。
【００４０】
なお、上記図３では、ＩＦ増幅部におけるアッテネータ２７（２７ａ、２７ｂ）及びＡＧＣ制御系統について詳細を示したが、ＲＦ増幅部におけるアッテネータ２３及びＡＧＣ制御系統においても同様にして構成することができる。
【００４１】
そして、上記の構成を有するテレビ放送再送信装置をアナログテレビ放送を中継するミニ・サテライト中継装置に代替して使用する場合には、各受信ユニット１２ａ〜１２ｎに設けられているＡＧＣモード切替スイッチ３６をオンにし、ＭＰＵ３５におけるＡＧＣの制御動作がアナログ変調方式に対応したピーク値ホールド方式で行なわれるように設定する。
【００４２】
上記のＡＧＣ設定を行なった各受信ユニット１２ａ〜１２ｎは、入力フィルタ１１から入力されるＲＦ信号に対し、予め設定されたチャンネルの受信信号を入力ミキサ２４でＩＦ信号に変換してＩＦアンプ２６、２９、３１で増幅し、更に、出力ミキサ３３で元のチャンネルの周波数に戻した後、ＲＦアンプ３７で増幅して出力端子３８より出力する。
【００４３】
この場合、各受信ユニット１２ａ〜１２ｎに設けられているＭＰＵ３５は、ＡＧＣ用検波器３４から出力されるＩＦ信号のレベルに基づいてアナログ変調方式に対応したピーク値ホールド方式よるＡＧＣ制御動作を行ない、ＲＦ増幅部のアッテネータ２３及びＩＦ増幅部のアッテネータ２７の減衰量を調整し、ＩＦアンプ３１の出力レベルが一定となるように制御する。  
そして、上記出力端子３８から出力されるＲＦ信号が送信アンテナに送られ、この送信アンテナより難視聴地域に向けて送信される。
【００４４】
そして、上記テレビ放送再送信装置は、アナログテレビ放送から地上デジタルテレビ放送へ移行した場合、各受信ユニット１２ａ〜１２ｎに設けられているＡＧＣモード切替スイッチ３６をオフに切替え、ＭＰＵ３５におけるＡＧＣの制御動作がデジタル変調方式に対応した平均値動作方式で行なわれるように設定する。
【００４５】
ＭＰＵ３５は、ＡＧＣモード切替スイッチ３６がオフされると、デジタル対応モードとなり、ＡＧＣ用検波器３４から出力されるＩＦ信号のレベルに基づいて平均値方式よるＡＧＣ制御動作を行ない、ＲＦ増幅部のアッテネータ２３及びＩＦ増幅部のアッテネータ２７の減衰量を調整し、ＩＦアンプ３１の出力レベルが一定となるように制御する。  
上記受信ユニット１２ａ〜１２ｎは、ＡＧＣモード切替スイッチ３６によりＡＧＣ方式を切替えることによって、アナログテレビ放送波と地上デジタルテレビ放送波の何れに対してもＡＧＣ制御動作を確実に実行することができる。
【００４６】
（第２実施形態）
次に、本発明の第２実施形態に係るテレビ放送再送信装置について図４を参照して説明する。なお、上記第１実施形態と同一部分には同一符号を付して詳細な説明は省略する。
【００４７】
この第２実施形態に係るテレビ放送再送信装置は、受信ユニット１２ａ〜１２ｎにおけるＡＧＣ制御動作において、アナログ変調方式に対応したピーク値ホールド方式と、デジタル変調方式に対応した平均値動作方式を受信信号に応じて自動的に選択できるようにしたものである。
【００４８】
すなわち、図４に示すように各受信ユニット１２ａ〜１２ｎは、ＩＦアンプ３１から出力されるＩＦ信号が分岐器３２を介して出力ミキサ３３へ送られると共に、上記分岐器３２で分岐された信号がミキサ９１に入力される。また、このミキサ９１には、掃引局部発振器９２から局部発振信号が入力される。上記掃引局部発振器９２は、ＭＰＵ３５からの制御信号に従って所定チャンネルのＩＦ信号、すなわち、ＩＦアンプ３１から出力されるＩＦ信号の中心周波数に対して±３ＭＨｚ（合計６ＭＨｚ）の範囲で発振周波数が掃引制御される。
【００４９】
上記ミキサ９１は、ＩＦアンプ３１から出力されるＩＦ信号と掃引局部発振器９２から与えられる６ＭＨｚで掃引される局部発振信号とを混合することによって、６ＭＨｚの帯域を有する信号を取り出し、例えばログアンプを用いたＤＣ変換器９３に入力する。このＤＣ変換器９３は、ミキサ９１から出力される信号を直流電圧（ＤＣ）に変換してＭＰＵ３５に入力する。このＭＰＵ３５は、ＤＣ変換器９３から出力される信号波形から現在受信している信号がアナログテレビ放送波であるか、あるいは地上デジタルテレビ放送波であるかを識別してＡＧＣ制御方式を選択する。すなわち、ＭＰＵ３５は、現在受信している信号がアナログテレビ放送波であればピーク値ホールド方式によるＡＧＣ制御方式を選択し、地上デジタルテレビ放送波であれば平均値動作方式によるＡＧＣ制御方式を選択し、その後、ＩＦアンプ３１から分岐器３２、ミキサ９１及びＤＣ変換器９３を介して出力される信号に基づいてＩＦアンプ３１の出力信号レベルが一定となるようにＲＦ増幅部のアッテネータ２３及びＩＦ増幅部のアッテネータ２７の減衰量を制御する。
【００５０】
図５（ａ）はアナログテレビ放送における高周波受信信号のスぺクトラムを示したものである。アナログテレビ放送波の場合、図５（ａ）に示す各チャンネルの中心周波数の搬送波と、図５（ａ）では示されていないＡＭ変調された映像搬送波及びＦＭ変調された音声搬送波を含む波形となっている。
【００５１】
図５（ｂ）は地上デジタルテレビ放送における高周波受信信号のスぺクトラムを示したものである。地上デジタルテレビ放送では、ＯＦＤＭ（Orthogonal Frequency Division Multiplex）による伝送方式が用いられている。このＯＦＤＭはマルチキャリア方式と呼ばれ、伝送帯域内に数千本の搬送波を立てて、それぞれの搬送波にデータを割り付けて放送を行なう伝送方式である。このため放送波のスぺクトラムは、図５（ｂ）に示すようにほぼ方形波の形状となっている。
【００５２】
上記のようにアナログテレビ放送と地上デジタルテレビ放送とは伝送方式が異なり、その放送波のスぺクトラムも異なったものとなっている。従って、ＩＦアンプ３１から出力されるＩＦ信号をミキサ９１に入力し、６ＭＨｚの掃引幅を持つ掃引局部発振器９２の局部発振信号と混合して６ＭＨｚの帯域幅の信号を取り出し、ＤＣ変換器９３で直流電圧の波形に変換することにより、ＭＰＵ３５ではその信号波形の違いから現在受信している放送波がアナログテレビ放送であるか地上デジタルテレビ放送であるを確実に識別することができる。ＭＰＵ３５は、この識別結果に基づいて、ピーク値ホールド方式によるＡＧＣ制御方式あるいは平均値動作方式によるＡＧＣ制御方式を選択し、ＲＦ増幅部のアッテネータ２３あるいはＩＦ増幅部のアッテネータ２７の減衰量を制御する。
【００５３】
上記のようにテレビ放送再送信装置は、現在受信している放送波に応じてＡＧＣ制御方式を自動的に切替えることができる。従って、上記テレビ放送再送信装置をアナログテレビ放送を中継するミニ・サテライト中継装置に代替して使用する場合、増幅器をそのまま使用することができる。
【００５４】
そして、その後、アナログテレビ放送から地上デジタルテレビ放送に移行した場合においても、受信ユニット１２ａ〜１２ｎのＡＧＣ制御方式が自動的にデジタル放送に対応した方式に切替えられるので、増幅器を交換する必要はない。
【００５５】
従って、上記第２実施形態によれば、アナログテレビ放送を中継するミニ・サテライト中継装置に代替して使用できると共に、その後、地上デジタルテレビ放送に移行しても増幅器を交換することなくそのまま使用でき、きわめて経済性に優れたテレビ放送再送信装置を提供することができる。
【００５６】
なお、上記実施形態では、ＭＰＵ３５においてＡＧＣ制御を行なう場合、ＲＦ増幅部のアッテネータ２３及びＩＦ増幅部のアッテネータ２７の減衰量を制御するようにしたが、ＲＦアンプ２２及びＩＦアンプ２６の利得を制御するようにしてもよい。
【００５７】
また、本発明は、上記実施形態そのままに限定されるものではなく、実施段階ではその要旨を逸脱しない範囲で構成要素を変形して具体化できるものである。
【図面の簡単な説明】
【００５８】
【図１】本発明の第１実施形態に係るテレビ放送再送信装置の全体の構成を示すブロック図である。
【図２】同実施形態における受信ユニットの詳細な構成を示すブロック図である。
【図３】同実施形態におけるＩＦ増幅部のＩＦアンプ、アッテネータ及びＡＧＣ制御系統の構成例を示す図である。
【図４】本発明の第２実施形態に係る受信ユニットの詳細な構成を示すブロック図である。
【図５】（ａ）はアナログテレビ放送波における高周波のスぺクトラムを示す図、（ｂ）は地上デジタルテレビ放送波における高周波のスぺクトラムを示す図である。
【図６】テレビ放送再送信装置による中継システム例を示す図である。
【符号の説明】
【００５９】
１…送信局、２…ビル、３…山、４…都市部難視聴地域、５…山間部難視聴地域、６…再送信装置、７…受信アンテナ、８…送信アンテナ、１０…入力端子、１１…入力フィルタ、１２ａ〜１２ｎ…受信ユニット、１３…ＲＦフィルタ、１４…ＲＦ終段増幅器、１５…出力フィルタ、１６…出力端子、２１…入力端子、２２…ＲＦアンプ、２３、２７…アッテネータ、２４…入力ミキサ、２５…局部発振器、２６、２６ａ、２６ｂ…ＩＦアンプ、２７、２７ａ、２７ｂ…アッテネータ、２８、３０…ＳＡＷフィルタ、２９、３１…ＩＦアンプ、３２…分岐器、３３…出力ミキサ、３４…ＡＧＣ用検波器、３５…ＭＰＵ、３６…ＡＧＣモード切替スイッチ、３７…ＲＦアンプ、３８…出力端子、５０…電圧比較回路、５１…コンパレータ、６１…動作電圧調整回路、９１…ミキサ、９２…掃引局部発振器、９３…ＤＣ変換器。
【図１】
2005286397.tif 000003
【図２】
2005286397.tif 000004
【図３】
2005286397.tif 000005
【図４】
2005286397.tif 000006
【図５】
2005286397.tif 000007
【図６】
2005286397.tif 000008